(57)【要約】【課題】  交換率、作業性の向上を図れるのは勿論のこと、密閉式リザーブタンクを有する密閉式ラジエータ冷却系を備えた車両用エンジンなどにも適用可能な冷却液の交換用治具、冷却液の交換装置及び冷却液の交換方法を提供する。【解決手段】  密閉式リザーブタンク４０の注入口４１から循環経路内部に冷却液の新液を注入する新液注入パイプ２１と、密閉式リザーブタンク４０内部の旧液中に挿入され、冷却液の旧液を直接的に吸い込んで、注入口４１を介して抜き出す旧液吸い込みパイプ２２とを具備した交換用治具２０などを使用して、冷却液を交換するようにした。この結果、準備作業及び交換作業が容易で、作業性を著しく改善できると共に、極めて高い交換率を達成することができる。【選択図】  図２
2006002703.tif 000002
【特許請求の範囲】
【請求項１】
熱交換装置系を循環する冷却液の交換用治具であって、
新液供給源に接続されると共に、熱交換装置系を構成する冷却液の循環経路中、任意位置に形成された開口部から前記循環経路内部に冷却液の新液を注入する新液注入パイプと、
前記循環経路内部の旧液中に挿入され、旧液を直接的に吸い込んで、前記開口部を介して抜き出す旧液吸い込みパイプと
を具備することを特徴とする冷却液の交換用治具。
【請求項２】
前記新液注入パイプが外側に配置され、前記旧液吸い込みパイプがその内側に配置された２重構造に形成されていると共に、該旧液吸い込みパイプの先端部が、該新液注入パイプの先端部よりも突出していることを特徴とする請求項１記載の冷却液の交換用治具。
【請求項３】
前記新液注入パイプの先端部の周囲に、前記開口部に接続可能な接続部が設けられていることを特徴とする請求項１又は２記載の冷却液の交換用治具。
【請求項４】
前記熱交換装置系が、エンジンのウォータージャケット、ラジエータ及び簡易密閉式リザーブタンクを備えて構成される車両用の冷却系であることを特徴とする請求項１〜３のいずれか１に記載の冷却液の交換用治具。
【請求項５】
前記熱交換装置系が、エンジンのウォータージャケット、ラジエータ及び密閉式リザーブタンクを備えて構成される車両用の冷却系であることを特徴とする請求項１〜３のいずれか１に記載の冷却液の交換用治具。
【請求項６】
請求項１〜５のいずれか１に記載の冷却液の交換用治具と、
前記熱交換用治具の新液注入パイプに接続され、冷却液の新液が貯留される新液貯留タンクと、
前記熱交換用治具の旧液吸い込みパイプに接続され、抜き出した旧液が貯留される旧液貯留タンクと、
前記新液注入パイプと新液貯留タンクとの間に介装される注入用ポンプと、
前記旧液吸い込みパイプと旧液貯留タンクとの間に介装される吸い込み用ポンプと
を具備することを特徴とする冷却液の交換装置。
【請求項７】
請求項１〜５のいずれか１に記載の冷却液の交換用治具と、
前記熱交換用治具の新液注入パイプと旧液吸い込みパイプとの間に介装配置され、抜き出した旧液を再生処理して、新液注入パイプに対して冷却液の新液として供給可能な再生手段と
を具備することを特徴とする冷却液の交換装置。
【請求項８】
熱交換装置系を循環する冷却液の交換方法であって、
前記熱交換装置系を構成する冷却液の循環経路中、任意位置に形成された開口部から前記循環経路内部に冷却液の新液を注入すると共に、冷却液の旧液を直接的に吸い込んで、該開口部を介して抜き出すことを特徴とする冷却液の交換方法。
【請求項９】
前記熱交換装置系が、エンジンのウォータージャケット、ラジエータ及び簡易密閉式リザーブタンクを備えて構成される車両用の冷却系であることを特徴とする請求項８記載の冷却液の交換方法。
【請求項１０】
前記熱交換装置系が、エンジンのウォータージャケット、ラジエータ及び密閉式リザーブタンクを備えて構成される車両用の冷却系であることを特徴とする請求項８記載の冷却液の交換方法。
【請求項１１】
前記抜き出した旧液を再生処理し、前記冷却液の循環経路内部に注入する新液として使用することを特徴とする請求項８〜１０のいずれか１に記載の冷却液の交換方法。
【発明の詳細な説明】
【技術分野】
【０００１】
本発明は、自動車などの車両用エンジンの冷却液などの交換に適する冷却液の交換用治具、冷却液の交換装置及び冷却液の交換方法に関し、より詳しくは、例えば、密閉式リザーブタンクを有する密閉式ラジエータ冷却系を備えた車両用エンジンなどにも適用可能な冷却液の交換用治具、冷却液の交換装置及び冷却液の交換方法に関する。
【背景技術】
【０００２】
自動車に搭載された水冷式エンジンは、エンジンで発生した熱を冷却液に伝え、この熱をラジエータ（放熱器）から大気に放散するようにしている。ところで、従来、冷却液の交換は、ラジエータの冷却液注入口（ラジエータフィラー）のキャップ及びエンジンとラジエータそれぞれのドレンプラグを外し、両ドレンからそれぞれ古い冷却液を排出し、水道水でラジエータ内を洗浄し、前記ドレンプラグをそれぞれ装着し、しかる後、ラジエータの冷却液注入口から新しい冷却液をエンジン内とラジエータ内とに充填する。しかし、このような冷却液の交換は、作業効率の点で問題があり、これを解決するため、ラジエータキャップから減圧して古い冷却液を抜き、減圧後に新しい冷却液を注入する方法（特許文献１）、ラジエータキャップ及びアッパーホースを外して強制的にエンジン冷却水系内を洗浄し、新しい冷却液を注入する方法（特許文献２）なども提案されているものの、前者の技術は、自動車の冷却系の経路が複雑であるため、減圧しても古い冷却液を抜きにくく、満足な交換率を得ることができず、後者の技術は、交換率の点では、前者の技術よりも向上するものの、準備作業から交換終了までに時間がかかるという問題があった。
【０００３】
そこで、かかる問題点を解決するものとして、特許文献３のような技術が提案されている。即ち、この技術は、ラジエータフィラーを通じて、交換用治具の新液注入パイプを、その先端部が流れ方向下流に位置するように挿入し、連結キャップをラジエータフィラーに装着し、旧液抜き出しパイプの先端部をラジエータ内の冷却液に臨ませた状態で、エンジンを始動し、サーモスタットを開弁させ、制御装置による制御のもと、注入用ポンプを稼働して、一定速度で新液貯留タンクから新液注入パイプを通じて新液を送り込む。この結果、注入された新液に相当する分の旧液が押し出され、循環経路中のラジエータフィラーの形成された付近に至ると、その下流で新液が次々に供給されていることから、再循環せずに、抵抗の少ない旧液抜き出しパイプ内に流れ、旧液貯留タンクに収容されるようになっている。
【特許文献１】特開平１０−１８４３５９号公報
【特許文献２】特開平１０−４７０６０号公報
【特許文献３】特開２００２−７０５５６号公報
【発明の開示】
【発明が解決しようとする課題】
【０００４】
ところで、近年、上記のようなタイプの簡易密閉式ラジエータ冷却系に対し、ラジエータとエンジンのウォータージャケットとに接続されて、該ラジエータ内の冷却液量の変化を吸収する密閉式リザーブタンクを備えるようにして、ラジエータを完全密閉したものが多くなってきている。しかしながら、この密閉式ラジエータ冷却系では、上記のような構成の交換用治具を密閉式リザーブタンクの注入口に使用しても、密閉式リザーブタンク内の旧液を吸い出すことはできない。即ち、連結キャップを密閉式リザーブタンクの注入口に装着して、新液を密閉式リザーブタンク内部に送り込んだとしても、旧液抜き出しパイプが連結キャップを介して密閉式リザーブタンク内の冷却液に臨んでいるだけであるから、旧液を押し出すことはできず、密閉式ラジエータ冷却系を備えた車両用エンジンには使用することができないという問題があった。この場合、専用のホースを密閉式リザーブタンクの注入口に取り付ければ、冷却液の交換ができなくはないが、専用のホースを別途用意しなければならないため、作業効率に影響が出ると共に、コストが嵩む。
【０００５】
本発明は上記した点に鑑みなされたものであり、交換率、作業性の向上を図れるのは勿論のこと、密閉式リザーブタンクを有する密閉式ラジエータ冷却系を備えた車両用エンジンなどにも適用可能な冷却液の交換用治具、冷却液の交換装置及び冷却液の交換方法を提供することを課題とする。
【課題を解決するための手段】
【０００６】
上記課題を解決するため、請求項１記載の本発明では、熱交換装置系を循環する冷却液の交換用治具であって、
新液供給源に接続されると共に、熱交換装置系を構成する冷却液の循環経路中、任意位置に形成された開口部から前記循環経路内部に冷却液の新液を注入する新液注入パイプと、
前記循環経路内部の旧液中に挿入され、旧液を直接的に吸い込んで、前記開口部を介して抜き出す旧液吸い込みパイプと
を具備することを特徴とする冷却液の交換用治具を提供する。
請求項２記載の本発明では、前記新液注入パイプが外側に配置され、前記旧液吸い込みパイプがその内側に配置された２重構造に形成されていると共に、該旧液吸い込みパイプの先端部が、該新液注入パイプの先端部よりも突出していることを特徴とする請求項１記載の冷却液の交換用治具を提供する。
請求項３記載の本発明では、前記新液注入パイプの先端部の周囲に、前記開口部に接続可能な接続部が設けられていることを特徴とする請求項１又は２記載の冷却液の交換用治具を提供する。
請求項４記載の本発明では、前記熱交換装置系が、エンジンのウォータージャケット、ラジエータ及び簡易密閉式リザーブタンクを備えて構成される車両用の冷却系であることを特徴とする請求項１〜３のいずれか１に記載の冷却液の交換用治具を提供する。
請求項５記載の本発明では、前記熱交換装置系が、エンジンのウォータージャケット、ラジエータ及び密閉式リザーブタンクを備えて構成される車両用の冷却系であることを特徴とする請求項１〜３のいずれか１に記載の冷却液の交換用治具を提供する。
請求項６記載の本発明では、請求項１〜５のいずれか１に記載の冷却液の交換用治具と、前記熱交換用治具の新液注入パイプに接続され、冷却液の新液が貯留される新液貯留タンクと、前記熱交換用治具の旧液吸い込みパイプに接続され、抜き出した旧液が貯留される旧液貯留タンクと、前記新液注入パイプと新液貯留タンクとの間に介装される注入用ポンプと、前記旧液吸い込みパイプと旧液貯留タンクとの間に介装される吸い込み用ポンプとを具備することを特徴とする冷却液の交換装置を提供する。
請求項７記載の本発明では、請求項１〜５のいずれか１に記載の冷却液の交換用治具と、前記熱交換用治具の新液注入パイプと旧液吸い込みパイプとの間に介装配置され、抜き出した旧液を再生処理して、新液注入パイプに対して冷却液の新液として供給可能な再生手段とを具備することを特徴とする冷却液の交換装置を提供する。
請求項８記載の本発明では、熱交換装置系を循環する冷却液の交換方法であって、
前記熱交換装置系を構成する冷却液の循環経路中、任意位置に形成された開口部から前記循環経路内部に冷却液の新液を注入すると共に、冷却液の旧液を直接的に吸い込んで、該開口部を介して抜き出すことを特徴とする冷却液の交換方法を提供する。
請求項９記載の本発明では、前記熱交換装置系が、エンジンのウォータージャケット、ラジエータ及び簡易密閉式リザーブタンクを備えて構成される車両用の冷却系であることを特徴とする請求項８記載の冷却液の交換方法を提供する。
請求項１０記載の本発明では、前記熱交換装置系が、エンジンのウォータージャケット、ラジエータ及び密閉式リザーブタンクを備えて構成される車両用の冷却系であることを特徴とする請求項８記載の冷却液の交換方法を提供する。
請求項１１記載の本発明では、前記抜き出した旧液を再生処理し、前記冷却液の循環経路内部に注入する新液として使用することを特徴とする請求項８〜１０のいずれか１に記載の冷却液の交換方法を提供する。
【発明の効果】
【０００７】
本発明は、新液供給源に接続されると共に、熱交換装置系を構成する冷却液の循環経路中、任意位置に形成された開口部から前記循環経路内部に冷却液の新液を注入する新液注入パイプと、前記循環経路内部の旧液中に挿入され、旧液を直接的に吸い込んで、前記開口部を介して抜き出す旧液吸い込みパイプとを具備した交換用治具などを使用して、循環経路内部に冷却液の新液を注入すると共に、旧液を吸い込んで抜き出し、冷却液を交換するようにした。
この結果、準備作業及び交換作業が容易で、作業性を著しく改善できると共に、極めて高い交換率を達成することができる。しかも、ラジエータ内の冷却液量の変化を吸収する密閉式リザーブタンクを備えたもの、所謂、密閉式ラジエータ冷却系を備えた車両用エンジンでも、冷却液の旧液を直接的に吸い込んで抜き出して新液を注入することができ、冷却液の交換が容易になり、密閉式ラジエータを有する車両用エンジン専用のホースも不要で、装置のコスト低減を図ることができる。
【発明を実施するための最良の形態】
【０００８】
以下、図面に示した実施の形態に基づき本発明をさらに詳細に説明する。図１及び図２は、本実施形態の冷却液の交換装置１を模式的に示す図であり、本体ユニット１０と交換用治具２０とを有して構成される。
【０００９】
本体ユニット１０は、所定量の冷却液の新液が貯留された新液貯留タンク１１と、この新液貯留タンク１１に貯留された新液を注入するための注入用ポンプ１２と、旧液を吸い込むための吸い込み用ポンプ１３と、これら注入用ポンプ１２と吸い込み用ポンプ１３とを制御する制御装置１４とを有している。また、抜き出した旧液は、任意に廃棄することができるが、本実施形態では、旧液を適切な手段を経て廃棄処理するため、抜き出した旧液を一旦溜めておく旧液貯留タンク１５を有している。
【００１０】
交換用治具２０は２つのパイプを有して構成されており、そのうち一方は、熱交換装置系を構成する循環経路中に新液を注入するための新液注入パイプ２１であり、他の一方は旧液を外部に抜き出すための旧液吸い込みパイプ２２である。本実施形態では、新液注入パイプ２１と旧液吸い込みパイプ２２とは、２重筒構造となっている。即ち、小径の内筒が旧液吸い込みパイプ２２として用いられ、大径の外筒が新液注入パイプ２１として用いられる。旧液吸い込みパイプ２２は、その先端部２２ｂが新液注入パイプ２１の先端部２１ｂよりも突出する長さで形成され、循環経路中の所定の位置から旧液を吸い込むことができる構成となっている。
【００１１】
なお、旧液吸い込みパイプ２２の後部は、外筒である新液注入パイプ２１の後部周部から外方に突出し、ここで双方が枝分かれ、新液注入パイプ２１は、上記の注入用ポンプ１２に連結された配管２１ａに接続され、旧液吸い込みパイプ２２は、上記の吸い込み用ポンプ１３に連結された配管２２ａに接続されている。また、新液注入パイプ２１の先端部２１ｂには、熱交換装置系を構成する循環経路中の任意の開口部に連結可能な接続部としての連結キャップ２３が設けられている。
【００１２】
次に、上記した交換用治具２０を備えた交換装置１を用いて熱交換装置系の冷却液を交換する方法について説明する。図３は、本実施形態において、冷却液の交換対象となる自動車などの車両の冷却系（熱交換装置系）を示し、ラジエータ３０とリザーブタンク４０とエンジン５０のウォータージャケット６０とを含み、さらに、ラジエータ３０とウォータージャケット６０とを接続するアッパーホース７０とロアホース８０を備えると共に、ウォーターポンプ９０、バイパス回路１００及びサーモスタット１１０を備えている。リザーブタンク４０は、ラジエータ３０内の冷却液量の変化を吸収するものであり、該ラジエータ３０とエンジン５０のウォータージャケット６０とに接続されている。ウォーターポンプ９０は、エンジン５０から動力を得て冷却液を循環するものである。また、サーモスタット１１０は、エンジン５０の温度が所定温度範囲となるように、ラジエータ３０を迂回させて冷却液を流すバイパス回路１００に流す冷却液の流量とラジエータ３０に流す冷却液の流量とを調節する温度式の流量調整バルブである。
【００１３】
かかる構成において、充填された冷却液は、エンジン５０のウォータージャケット６０、アッパーホース７０、ラジエータ３０のアッパータンク３１、ラジエータ３０の伝熱チューブ部３２、ラジエータ３０のロアタンク３３、ロアホース８０、サーモスタット１１０、ウォーターポンプ９０の順に循環する。また、密閉式リザーブタンク４０は、ラジエータ３０内の冷却液量の変化を吸収するべく、冷却液が循環される。そして、この循環経路中、冷却液は、特に、流れの集まる部分で勢いよく流れる。このため、このような循環経路中で勢いよく流れる部分において旧液を直接的に吸い込むようにすれば、より速やかに旧液を外部に抜き出すことができ、新液を流れに沿って速やかに循環させることができるため好ましい。
【００１４】
従って、循環経路中、このように冷却液が勢いよく流れる部分に相当する既設の開口部、あるいは、交換用に設けた専用の開口部を通じて上記交換用治具２０を接続することにより、より速やかな冷却液の交換が可能となる。冷却液が勢いよく流れている部分に相当する既設の開口部としては、密閉式リザーブタンク４０に設けられた注入口４１、ウォータージャケット６０などに設けられるその他の冷却液注入口等を利用でき、専用の開口部としては、例えば、アッパーホース７０、ロアホース８０、あるいはサーモスタット１１０付近に形成することができる。
【００１５】
本実施形態の交換方法は、具体的には、図４に示すように、密閉式リザーブタンク４０の注入口４１を通じて、交換用治具２０の旧液吸い込みパイプ２２を挿入する。この際、該旧液吸い込みパイプ２２の先端部２２ｂは、好ましくは冷却液の循環方向の上流（ラジエータ３０側）に位置するように挿入する。なお、冷却液の循環方向の上流に位置するように挿入することが構造上できない場合には、そのまま挿入するだけでも良い。そして、連結キャップ２３を注入口４１に装着する。これにより、新液注入パイプ２１の先端部２１ｂが密閉式リザーブタンク４０内の冷却液に臨むことになる。
【００１６】
次に、制御装置１４による制御のもと、注入用ポンプ１２と吸い込み用ポンプ１３とを駆動して、旧液を旧液吸い込みパイプ２２を通じて吸い込むと共に、新液貯留タンク１１から新液注入パイプ２１を通じて新液を送り込む。これにより、旧液は旧液吸い込みパイプ２２から吸い込まれて、旧液貯留タンク１５内に収容される。必要量の新液を注入したならば、注入用ポンプ１２及び吸い込み用ポンプ１３を停止し、連結キャップ２３を注入口４１から外して交換用治具２０を取り外し、ラジエータキャップ４２を再装着する。この方法では、エアの混入による交換不良がなく、交換後のエア抜き作業も不要である。
【００１７】
かかる交換方法によれば、交換用治具２０を使用して、循環経路内部において旧液を直接的に吸い込んで抜き出して新液を注入する構成であるため、準備作業及び交換作業が容易で、作業性を著しく改善できると共に、極めて高い交換率を達成することができる。しかも、上記のようなラジエータ３０内の冷却液量の変化を吸収する密閉式リザーブタンク４０を備えた、所謂、密閉式のラジエータ冷却系３０を有する車両用エンジンでも、冷却液の交換が可能となる。また、密閉式のラジエータ冷却系３０を有する車両用エンジン専用のホースも不要であり、装置のコスト低減を図ることができる。
【００１８】
なお、上記実施形態では、冷却液の交換対象として、ラジエータ３０内の冷却液量の変化を吸収する密閉式リザーブタンク４０の注入口４１を使用して冷却液を交換する方法について説明したが、密閉式リザーブタンク４０のない簡易密閉式ラジエータ冷却系を備えた車輌のラジエータフィラーを使用して冷却液を交換することもできる。この場合、図５に示すように、ラジエータ１２０のラジエータフィラー１２１を通じて、交換用治具２０の旧液吸い込みパイプ２２を挿入し、かつ、連結キャップ２３をラジエータフィラー１２１に装着して、新液注入パイプ２１の先端部２１ｂをラジエータ１２０内の冷却液に臨ませる。後は先に説明したリザーブタンク４０の場合と同様の作用で、冷却液の交換を行えば良い。
【００１９】
（実施例）
図１に示した交換用治具２０を備えた交換装置１を用いて、自動車の冷却液の交換を行った。実施例１では、密閉式リザーブタンクを備えた密閉式ラジエータを有する２つの車輌に対して、密閉式リザーブタンクの注入口に上記交換用治具２０を接続して行った。この場合、図４に示すように、旧液吸い込みパイプ２２の先端部２２ｂが冷却液の循環方向の上流（ラジエータ３０側）に位置するように挿入し、連結キャップ２３を注入口４１に装着して、新液注入パイプ２１の先端部２１ｂがリザーブタンク４０内の冷却液に臨ませた。実施例２では簡易密閉式リザーブタンクを備えた冷却系に対して実施例１と同様に行った。また、比較のため、従来の方法によって、冷却液の交換を行った。なお、比較例１は、ラジエータキャップから減圧して古い冷却液を抜き、減圧後に新しい冷却液を注入する方法、比較例２は、ラジエータキャップ及びアッパーホースを外して洗浄してから新しい冷却液を注入する方法、比較例３は、背景技術の項で説明した特開２００２−７０５５６号公報（特許文献３）で開示された方法で行った。結果を次表に示す。比較例１及び比較例２はいずれも５車種について行っているが、作業性、交換率、作業時間、備考については次表においてまとめて示している。
【００２０】
（表）
車種    形式  作業性  交換率      作業時間        備考
実施例１  UCF11   密閉    ○    ○ 80%       2分  ・冷却液は新品色に回復
（充填LLC量        ・治具取付はワンタッチ
15リットル)            で容易
〃     TCR10   密閉    ○    ○ 82%       2分  ・冷却液は新品色に回復
（充填LLC量        ・治具取付はワンタッチ
15リットル)            で容易
実施例２  NCP20   簡易    ○    ○ 85%       2分  ・冷却液は新品色に回復
（充填LLC量        ・治具取付はワンタッチ
4.5リットル)           で容易
比較例１  UCF11   密閉    ○    × 25-60%    2分  ・冷却液はほとんど変わ
TCR10   密閉         （充填LLC量          らず、色も回復しない
NCP20   簡易           2〜3リットル)
KCH46   簡易
LJ78    簡易
比較例２  UCF11   密閉    ×    ○ 80%以上  10分  ・アッパーホース脱着が
TCR10   密閉         （充填LLC量  以上    面倒
NCP20   簡易           6〜18リットル)
KCH46   簡易
LJ78    簡易
比較例３  NCP20   簡易    ○    ○ 81%       2分  ・冷却液は新品色に回復
（充填LLC量        ・治具取付はワンタッチ
4.5リットル)           で容易
（比較例３は密閉式ラジエータ不可）
【００２１】
なお、表において、「密閉」は密閉式リザーブタンクを備えた密閉式ラジエータ冷却系であることを示し、「簡易」は簡易密閉式リザーブタンクを備えた簡易密閉式ラジエータ冷却系であることを示す。「ＵＣＦ１１」は、トヨタ自動車（株）製「ＣＥＬＳＩＯＲ」（登録商標）、ＴＣＲ１０は、トヨタ自動車（株）製「ＥＳＴＩＭＡ」（登録商標）、ＮＣＰ２０は、トヨタ自動車（株）製「ＴＯＹＯＴＡ  ＦＵＮ  ＣＡＲＧＯ」（登録商標）、ＫＣＨ４６は、トヨタ自動車（株）製「グランド  ハイエース」（登録商標）、ＬＪ７８は、トヨタ自動車（株）製「ランドクルーザー  プラド」（登録商標）のことである。
【００２２】
上記の表から明らかなように、本発明では、密閉式ラジエータ冷却系を有する車輌において、８０％、８２％という高い交換率を達成できた。また、簡易密閉式ラジエータを有する車輌についても、比較例よりも高い交換率を得ることができた。作業性については、ラジエータキャップ４２を外して、交換用治具２０を注入口４１に接続するだけの準備作業で良く、この準備作業、交換作業開始から終了まで、及び交換用治具２０の取り外しとラジエータキャップ４２の再装着を含めた全作業時間は２分であり、極めて短時間で実施できた。
これに対して、比較例２のものは、交換率が良くても全作業時間は１０分以上と長く、アッパーホースの脱着も面倒であり、比較例１のものは作業時間が短くても交換率が悪かった。比較例３のものは、発明が解決しようとする課題の項でも述べたように、密閉式ラジエータを備えた車両用エンジンには使用することができない。
【００２３】
ここで、上記実施形態では、抜き出された旧液を旧液貯留タンク１５に一旦回収し、その後、廃棄処分する手段を採用しているが、抜き出された旧液を公知の再生処理部を有する再生手段としての再生ユニットにより再生処理する構成とすることができる。このような再生処理部としては、金属さび、溶解金属が粒子化して析出した沈殿物、添加剤の沈澱物等を除去するフィルタを備えたろ過装置、防錆力を新品ＬＬＣ相当に回復する処理手段を備えた再生装置などがあり、これらを単独あるいは適宜に組み合わせて用いられる。図６は、上記の簡易密閉式のラジエータ１２０のラジエータフィラー１２１を使用して冷却液を交換する際に、再生ユニット１３０により再生処理する構成としたものである。即ち、再生ユニット１３０は、再生処理部１３１を備えた再生用タンク１３２と、この再生用タンク１３２に接続された注入用ポンプ１３３と吸い込み用ポンプ１３４と、これら注入用ポンプ１３３と吸い込み用ポンプ１３４とを制御する制御装置とを有している。交換用治具２０の新液注入パイプ２１は、注入用ポンプ１３３に連結された配管に接続され、旧液吸い込みパイプ２２は、吸い込み用ポンプ１３４に連結された配管に接続されている。
【００２４】
そして、ラジエータ１２０のラジエータフィラー１２１を通じて、交換用治具２０の旧液吸い込みパイプ２２を挿入し、かつ、連結キャップ２３をラジエータフィラー１２１に装着して、新液注入パイプ２１の先端部２１ｂをラジエータ１２０内の冷却液に臨ませる。従って、ラジエータ１２０から回収された旧液は再生処理部１３１を通って再生用タンク１３２内に直ぐに貯留され、該再生用タンク１３２内から再びラジエータ１２０内に供給されるため、直ぐに安定運転がなされ、これが繰り返されて、冷却液が冷却系内を強制循環され、旧液が新液へと再生されて交換される。なお、背景技術の項で説明した特開２００２−７０５５６号（特許文献３）に比べ、運転直後から安定運転できるため、所定時間内での循環回数が増え、再生処理部１３１を通る回数が増加するため、より再生性能が向上すると言う利点がある。
【００２５】
なお、上記実施形態では、車両（自動車）の冷却系に適用した態様を例にとり説明しているが、その他の熱交換装置、例えば、住宅の床暖房で用いられる冷却液等の交換に際しても本発明を適用することは可能である。
【図面の簡単な説明】
【００２６】
【図１】図１は、本発明の冷却液の交換装置の一の実施形態を示す模式図である。
【図２】図２は、同上の冷却液の交換装置における交換用治具の拡大図である。
【図３】図３は、自動車の冷却系を示す模式図である。
【図４】図４は、本発明の冷却液の交換方法の一例を説明するための図である。
【図５】図５は、本発明の冷却液の交換方法の他の例を説明するための図である。
【図６】図６は、旧液を再生処理して新液として使用する例を説明するための図である。
【符号の説明】
【００２７】
１０  本体ユニット
１１  新液貯留タンク
１２  注入用ポンプ
１３  吸い込み用ポンプ
１５  旧液貯留タンク
２０  交換用治具
２１  新液注入パイプ
２２  旧液吸い込みパイプ
２３  連結キャップ
３０  ラジエータ
４０  密閉式リザーブタンク
４１  注入口
５０  エンジン
【図１】
2006002703.tif 000003
【図２】
2006002703.tif 000004
【図３】
2006002703.tif 000005
【図４】
2006002703.tif 000006
【図５】
2006002703.tif 000007
【図６】
2006002703.tif 000008